(57)【要約】【課題】原稿走査部の走査中に給紙カセットが引き出され、または収納されることによって生ずる画像読み取りの乱れを防止すること。【解決手段】画像形成装置１００は、画像形成装置１００の装置筐体１１０に設けられ、走査して原稿の画像を読み取る原稿走査部１２３を具備した原稿読み取り装置１２０と、所定量の用紙を収容し、装置筐体１１０内に収納される収納位置と引き出し位置との間で移動自在に位置する給紙カセット１４０と、給紙カセット１４０を収納位置でロック自在なロック部材１４６ｂと、原稿読み取り装置１２０が画像を読み取っている際に、ロック部材１４６ｂによるロックを行うように制御する制御部２００と、を備える。【選択図】図１
2008143649.tif 000002
【特許請求の範囲】
【請求項１】
画像形成装置の装置筐体に設けられ、走査して原稿の画像を読み取る原稿走査部を具備した原稿読み取り手段と、
所定量の用紙を収容し、前記装置筐体内に収納される収納位置と引き出し位置との間で移動自在に位置する給紙カセットと、
前記給紙カセットを前記収納位置でロック自在なロック手段と、
前記原稿読み取り手段が画像を読み取っている際に、前記ロック手段によるロックを行うように制御する制御手段と、
を備えることを特徴とする画像形成装置。
【請求項２】
前記給紙カセットに設けられた取っ手部にユーザが触れているか否かを検知する操作検知手段を備え、
前記制御手段は、前記操作検知手段による検知情報に基づき、前記原稿読み取り手段による画像の読み取り中に、ユーザが前記取っ手部に触れている場合に、前記原稿読み取り手段の画像の読み取りを停止させることを特徴とする請求項１に記載の画像形成装置。
【請求項３】
前記制御手段は、前記操作検知手段による検知情報に基づき、ユーザが前記取っ手部に非接触の場合に、前記原稿読み取り手段に画像を再度読み取らせることを特徴とする請求項２に記載の画像形成装置。
【請求項４】
装置筐体に固定して設けられる用紙トレイを備え、
前記制御手段は、前記ロック手段が前記給紙カセットをロックしている際に、前記用紙トレイの用紙を使用するように制御することを特徴とする請求項１に記載の画像形成装置。
【請求項５】
原稿を自動送りする原稿送り手段を備え、
前記制御手段は、前記原稿送り手段が原稿を自動送りしている際に、前記ロック手段によるロックを解除させることを特徴とする請求項１に記載の画像形成装置。
【請求項６】
前記ロック手段のロック状態を表示するロック表示手段を備えたことを特徴とする請求項１，３または４のいずれか一つに記載の画像形成装置。
【請求項７】
画像形成装置の装置筐体に設けられ、走査して原稿の画像を読み取る原稿走査部を具備した原稿読み取り手段と、
所定量の用紙を収容し、前記装置筐体内に収納される収納位置と引き出し位置との間で移動自在に位置する給紙カセットと、
前記給紙カセットが前記収納位置に位置しているか、または前記引き出し位置に位置しているかを検知する位置検知手段と、
前記位置検知手段による検知情報に基づき、前記給紙カセットが引き出し位置に位置する場合には、前記原稿読み取り手段による画像の読み取りを停止させる制御手段と、
を備えることを特徴とする画像形成装置。
【請求項８】
前記制御手段は、前記位置検知手段による検知情報に基づき、前記給紙カセットが前記収納位置に位置した際に、前記原稿読み取り手段の画像の読み取りを開始させることを特徴とする請求項７に記載の画像形成装置。
【請求項９】
前記原稿読み取り手段が画像を読み取っていることを表示する画像読み取り表示手段を備えたことを特徴とする請求項１，３または８のいずれか一つに記載の画像形成装置。
【請求項１０】
前記原稿読み取り手段が画像の読み取りを停止した際に、警告音を発する警告手段を備えたことを特徴とする請求項２または７に記載の画像形成装置。
【請求項１１】
ＦＡＸ機能またはプリンタ機能を備えたことを特徴とする請求項１〜１０のいずれか一つに記載の画像形成装置。
【発明の詳細な説明】
【技術分野】
【０００１】
この発明は、複写機等の画像形成装置に関し、特に、画像形成装置の装置筐体に接触して設けられる原稿読み取り装置および給紙カセットを備えた画像形成装置に関する。
【背景技術】
【０００２】
従来、複写機等に用いられる原稿読み取り装置としては、プラテン上に載置された原稿に対し、スキャナ等に具備される原稿走査部を走査させることによって画像を読み取り、所定の画像信号を生成するようにしたものが一般に知られている。このような原稿読み取り装置を備えた画像形成装置は、原稿読み取り装置にて生成された画像信号に基づいて、例えば、電子写真方式等により画像信号を顕像化し、用紙に画像を形成する。
【０００３】
このような画像形成装置としては、装置筐体の上部に原稿読み取り装置を配置し、装置筐体内に引き出し自在の給紙カセットを設けたものが開示されている（例えば、下記特許文献１参照。）。この給紙カセットは、装置筐体に対して収納される収納位置と、収納位置以外の引き出し位置との間で移動自在な構成となっている。用紙がなくなった際には、給紙カセットを引き出し位置に位置させることによって、用紙を補充することができる。
【０００４】
【特許文献１】特開平９−１９３４９６号公報
【発明の開示】
【発明が解決しようとする課題】
【０００５】
しかしながら、このような画像形成装置では、原稿走査部が走査している最中に、ユーザが給紙カセットを引き出したり、収納したりすると、装置筐体に対して振動を与えてしまい、原稿走査部の走査が乱れ、結果として、画像乱れを発生させるという不具合を引き起こす。ここで、上記特許文献１について補足すると、特許文献１には、一定の条件下で、給紙カセットの引き出しを抑止するための警告を表示するようにした点が記載されている。しかしながら、この警告の表示は原稿走査部の動作との関係では無関係であり、原稿走査部の走査中に給紙カセットが引き出されたり、収納されたりすると、画像乱れを生じさせることになる。
【０００６】
この発明は、上述した従来技術による問題点を解消するため、原稿走査部の走査中に給紙カセットが引き出され、または収納されることによって生ずる画像読み取りの乱れを防止できる画像形成装置を提供することを目的とする。
【課題を解決するための手段】
【０００７】
上述した課題を解決し、目的を達成するため、請求項１の発明にかかる画像形成装置は、画像形成装置の装置筐体に設けられ、走査して原稿の画像を読み取る原稿走査部を具備した原稿読み取り手段と、所定量の用紙を収容し、前記装置筐体内に収納される収納位置と引き出し位置との間で移動自在に位置する給紙カセットと、前記給紙カセットを前記収納位置でロック自在なロック手段と、前記原稿読み取り手段が画像を読み取っている際に、前記ロック手段によるロックを行うように制御する制御手段と、を備えることを特徴とする。
【０００８】
また、請求項２の発明にかかる画像形成装置は、請求項１に記載の発明において、前記給紙カセットに設けられた取っ手部にユーザが触れているか否かを検知する操作検知手段を備え、前記制御手段は、前記操作検知手段による検知情報に基づき、前記原稿読み取り手段による画像の読み取り中に、ユーザが前記取っ手部に触れている場合に、前記原稿読み取り手段の画像の読み取りを停止させることを特徴とする。
【０００９】
また、請求項３の発明にかかる画像形成装置は、請求項２に記載の発明において、前記制御手段は、前記操作検知手段による検知情報に基づき、ユーザが前記取っ手部に非接触の場合に、前記原稿読み取り手段に画像を再度読み取らせることを特徴とする。
【００１０】
また、請求項４の発明にかかる画像形成装置は、請求項１に記載の発明において、装置筐体に固定して設けられる用紙トレイを備え、前記制御手段は、前記ロック手段が前記給紙カセットをロックしている際に、前記用紙トレイの用紙を使用するように制御することを特徴とする。
【００１１】
また、請求項５の発明にかかる画像形成装置は、請求項１に記載の発明において、原稿を自動送りする原稿送り手段を備え、前記制御手段は、前記原稿送り手段が原稿を自動送りしている際に、前記ロック手段によるロックを解除させることを特徴とする。
【００１２】
また、請求項６の発明にかかる画像形成装置は、請求項１，３または４いずれか一つに記載の発明において、前記ロック手段のロック状態を表示するロック表示手段を備えたことを特徴とする。
【００１３】
また、請求項７の発明にかかる画像形成装置は、画像形成装置の装置筐体に設けられ、走査して原稿の画像を読み取る原稿走査部を具備した原稿読み取り手段と、所定量の用紙を収容し、前記装置筐体内に収納される収納位置と引き出し位置との間で移動自在に位置する給紙カセットと、前記給紙カセットが前記収納位置に位置しているか、または前記引き出し位置に位置しているかを検知する位置検知手段と、前記位置検知手段による検知情報に基づき、前記給紙カセットが引き出し位置に位置する場合には、前記原稿読み取り手段による画像の読み取りを停止させる制御手段と、を備えることを特徴とする。
【００１４】
また、請求項８の発明にかかる画像形成装置は、請求項７に記載の発明において、前記制御手段は、前記位置検知手段による検知情報に基づき、前記給紙カセットが前記収納位置に位置した際に、前記原稿読み取り手段の画像の読み取りを開始させることを特徴とする。
【００１５】
また、請求項９の発明にかかる画像形成装置は、請求項１，３または８いずれか一つに記載の発明において、前記原稿読み取り手段が画像を読み取っていることを表示する画像読み取り表示手段を備えたことを特徴とする。
【００１６】
また、請求項１０の発明にかかる画像形成装置は、請求項２または７に記載の発明において、前記原稿読み取り手段が画像の読み取りを停止した際に、警告音を発する警告手段を備えたことを特徴とする。
【００１７】
また、請求項１１の発明にかかる画像形成装置は、請求項１〜１０のいずれか一つに記載の発明において、ＦＡＸ機能またはプリンタ機能を備えたことを特徴とする。
【発明の効果】
【００１８】
本発明にかかる画像形成装置によれば、原稿走査部の走査中に、給紙カセットをロックするようにしたので、給紙カセットの引き出し動作に伴って生ずる画像読み取りの乱れを防止できるという効果を奏する。また、給紙カセットが引き出し位置にある場合には、原稿読み取り手段による画像読み取りを停止するようにしたので、給紙カセットの収納動作に伴って生ずる画像読み取りの乱れを防止できるという効果を奏する。
【発明を実施するための最良の形態】
【００１９】
以下に添付図面を参照して、この発明にかかる画像形成装置の好適な実施の形態を詳細に説明する。
【００２０】
（実施の形態１）
図１は、本発明の実施の形態にかかる画像形成装置の全体構成を示した概要図である。画像形成装置１００は、装置筐体１１０内に、原稿読み取り装置１２０と、自動原稿送り装置（以下、ＡＤＦ（Ａｕｔｏ  Ｄｏｃｕｍｅｎｔ  Ｆｅｅｄｅｒ）と称す）１３０と、給紙カセット１４０と、用紙トレイ１５０と、画像形成部１６０とを備えて構成されている。また、装置筐体１１０の上部には表示部１７０が設けられている。
【００２１】
原稿読み取り装置１２０は、装置筐体１１０に取り付けられており、読み取りガラス１２１と、開閉カバー１２２と、原稿走査部１２３と、図示しない走査駆動部とを備えて構成されている。読み取りガラス１２１は、透明なガラスからなり、原稿が載置される。開閉カバー１２２は、読み取りガラス１２１を覆うものであり、読み取りガラス１２１に対して開閉自在になっている。原稿走査部１２３は、読み取りガラス１２１の下方に配置されて、原稿の画像を読み取るＣＣＤセンサ等の撮像素子部と、原稿に光を照射して、原稿からの反射画像を撮像素子部に結像させる結像光学系とを備えて構成されている。走査駆動部は、原稿走査部１２３に接続しており、原稿走査部１２３を図中Ａ方向に走査させる。これにより、原稿走査部１２３が走査して読み取りガラス１２１上に載置された原稿の画像を読み取る。読み取った画像は、所定の画像信号に変換される。
【００２２】
ＡＤＦ１３０は、原稿読み取り装置１２０の開閉カバー１２２と一体に構成されている。ＡＤＦ１３０は、原稿を載置する原稿載置部１３１と、原稿を搬送する原稿搬送部１３２と、原稿を排出する原稿排出部１３３と、原稿載置部１３１に原稿が載置されていることを検知する原稿検知部１３４とを備えて構成されている。原稿検知部１３４によって、原稿載置部１３１に原稿が載置されていることが検知されると、例えば、後述する表示部１７０に設けられる操作キーからコピー開始の入力が行われたときに、原稿搬送部１３２が自動的にこの原稿を送り出し、読み取りガラス１２１上で原稿を一旦停止させた後、原稿排出部１３３に排出する。
【００２３】
給紙カセット１４０は、用紙を載置するための底面部１４１と、底面部１４１に対して垂直に設けられて底面部１４１の四周を囲む側壁部１４２とで構成され、任意のサイズからなる用紙を所定量収容する。側壁部１４２には、給紙カセット１４０を引き出したり、収納させるためのガイドレール１４３が設けられている。装置筐体１１０側のガイドレール１４３に対向する部位には、ガイドレール１４３に沿って給紙カセット１４０を案内するカセットガイド１４４が設けられている。このガイドレール１４３とカセットガイド１４４とによって、給紙カセット１４０は、装置筐体１１０に収納された収納位置と、それ以外の引き出し位置との間で円滑に移動自在になっている。また、この給紙カセット１４０には、給紙カセット１４０が収納位置に位置しているか、または引き出し位置に位置しているかを検知するカセット位置検知部１４５が設けられている。
【００２４】
側壁部１４２には、給紙カセット１４０を収納位置にてロックするための嵌合穴１４６ａが設けられている。給紙カセット１４０の収納位置において、装置筐体１１０側の嵌合穴１４６ａに対応した部位には、ロック部材１４６ｂが設けられている。このロック部材１４６ｂは、給紙カセット１４０に対して進退自在になっている。このロック部材１４６ｂは、通常、給紙カセット１４０に対して退避した退避位置に位置している。一方、給紙カセット１４０をロックする際には、押し出されて嵌合穴１４６ａに嵌め込まれるようになっている。なお、ロック部材１４６ｂおよび嵌合穴１４６ａは、このような態様に限られず、収納位置にて給紙カセット１４０をロックできるものであれば、他のものを用いてもよい。また、本実施の形態において、給紙カセット１４０は一段のものを用いているが、給紙カセット１４０を複数段備えたものを用いてもよい。この場合、それぞれの給紙カセット１４０をロックできるようにする必要がある。
【００２５】
また、画像形成装置１００の正面側に現れる側壁部１４２には、ユーザが手を掛けて給紙カセット１４０を引き出したり、収納させるための取っ手部１４７が取り付けられている。この取っ手部１４７には、ユーザが接触しているか否か、具体的には、ユーザが手を掛けたか否かを検知するタッチセンサ等のカセット操作検知部１４８が設けられている。また、給紙カセット１４０の上部には、給紙カセット１４０内の用紙に対向配置されて、給紙カセット１４０内に収容された用紙を一枚ずつ画像形成部１６０へ搬送するピックアップロール等の給紙カセット用給紙部１４９が設けられている。
【００２６】
用紙トレイ１５０は、任意のサイズからなる用紙を所定量収容する載置部１５１を備えて構成されている。用紙トレイ１５０は、給紙カセットとは異なり、装置筐体１１０から引き出されるものではない。そのため、用紙トレイ１５０に用紙をセットする際には、載置部１５１に用紙を挿入し、載置部１５１上に用紙を載置することによって原稿が載置される。また、用紙トレイ１５０の上部には、用紙トレイ１５０上の用紙に対向配置されて、用紙トレイ１５０上の用紙を一枚ずつ画像形成部へ搬送するピックアップロール等の用紙トレイ用給紙部１５２が設けられている。
【００２７】
画像形成部１６０は、例えば、電子写真方式により、原稿読み取り装置１２０からの画像信号を顕像化し、用紙に画像を形成する。この画像形成部１６０は、トナー像を作成する作像部１６１と、作像部１６１にて形成されたトナー像を用紙に転写する転写部１６２と、用紙上のトナー像を加熱定着する定着部１６３と、用紙を搬送する用紙搬送部１６４とを備えて構成されている。
【００２８】
作像部１６１は、感光体ドラム１６１ａと、帯電器１６１ｂと、露光器１６１ｃと、現像器１６１ｄと、クリーナ１６１ｅとを備えて構成されている。感光体ドラム１６１ａの表面は、帯電器１６１ｂによって一様に帯電され、露光器１６１ｃによって露光されることにより静電潜像が形成される。現像器１６１ｄは、この静電潜像をトナー等の帯電粒子によって可視像化する。クリーナ１６１ｅは、転写後の感光体ドラム１６１ａの表面を清掃する。なお、同図において、作像部１６１は、単一のものであるが、例えば、カラー画像の場合、ブラック、イエロ、マゼンタ、シアンの４色に対応して、４つ設けられる。
【００２９】
転写部１６２は、感光体ドラム１６１ａに対向配置された転写ロール１６２ａを備えて構成される。この転写ロール１６２ａに所定のバイアスを印加することにより、感光体ドラム１６１ａ上に形成された画像を用紙上に転写する。定着部１６３は、加熱ロール１６３ａと加圧ロール１６３ｂとを備えて構成される。加熱ロール１６３ａと加圧ロール１６３ｂとが用紙をニップすることにより、用紙上のトナー像を加熱および加圧し、用紙上に画像を定着させる。用紙搬送部１６４は、給紙カセット１４０または用紙トレイ１５０から取り出された用紙を、転写部１６２へ送った後に、定着部１６３を経由させ、排紙トレイ１６５に送出する。
【００３０】
表示部１７０は、操作キーあるいはタッチパネル等の入力部１７１を備えており、ユーザが画像データの送受信の開始を行ったり、画像データの入力に関する情報を入力することができる。また、設定した印刷情報等を表示する。特に、本実施の形態において、表示部１７０は、ロック部材１４６ｂによって給紙カセット１４０がロックされた際にはロック中であることを、文字または図形等にて表示する。また、原稿走査部１２３が走査して原稿画像を読み取っている際には読み取り中であることを、文字または図形等にて表示する。
【００３１】
次に、図２を用いて、本発明の実施の形態にかかる制御部の概要について説明する。図２は、本実施の形態に用いられる制御部を示すブロック図である。制御部２００の入力側には、原稿読み取り装置１２０の原稿走査部１２３と、ＡＤＦ１３０の原稿検知部１３４と、カセット位置検知部１４５と、カセット操作検知部１４８とが接続されている。制御部２００の制御側には、原稿搬送部１３２と、ロック部材１４６ｂと、給紙カセット用給紙部１４９と、用紙トレイ用給紙部１５２と、画像形成部１６０と、表示部１７０と、走査駆動部２１０と、スピーカ２２０と、ＦＡＸ２３０とが接続されている。また、制御部２００には、画像を一時的に蓄積する蓄積部２４０が接続されている。
【００３２】
制御部２００には、原稿走査部１２３から画像情報が入力される。この入力情報に基づいて、制御部２００は、蓄積部２４０にて画像情報を蓄積させた後、コピー時には画像形成部１６０に画像を形成させるよう制御し、また、ＦＡＸ時には画像データとしてＦＡＸ２３０に送信するよう制御する。
【００３３】
また、原稿走査部１２３から入力された走査情報に基づいて、ロック部材１４６ｂと、表示部１７０と、給紙カセット用給紙部１４９と、用紙トレイ用給紙部１５２とが制御される。原稿検知部１３４から入力された原稿検知情報に基づいて、ロック部材１４６ｂと、原稿搬送部１３２とが制御される。カセット位置検知部１４５から入力された位置検知情報に基づいて、走査駆動部２１０と、スピーカ２２０とが制御される。カセット操作検知部１４８から入力された操作検知情報に基づいて、走査駆動部２１０と、スピーカ２２０とが制御される。なお、蓄積部２４０は、ＲＡＭ等の記憶装置であり、制御部２００を介して画像データを蓄積すると共に、蓄積部２４０に蓄積された情報を制御部２００に送出する。
【００３４】
（ロック動作例１）
次に、図３を用いて、本実施の形態かかる画像形成装置の処理について説明する。図３は、本実施の形態にかかる原稿読み取り処理のロック動作例１を示すフローチャートである。なお、ロック動作例１においては、予め給紙カセット１４０が収納位置に位置し、読み取りガラス１２１上に原稿が載置されているものとする。
【００３５】
図３において、入力部１７１からの操作入力を待って、原稿読み取りプロセスが開始される（ステップＳ３０１）。入力部１７１からの操作入力があるまでの間は待機している（ステップＳ３０１：Ｎｏのループ）。入力部１７１からの操作入力がある（ステップＳ３０１：Ｙｅｓ）と、原稿読み取りプロセスが開始される。そして、原稿走査部１２３からの走査情報に基づいて、ロック部材１４６ｂが給紙カセット１４０の嵌合穴１４６ａ側に進出し、給紙カセット１４０をロックする（ステップＳ３０２）。そして、原稿走査部１２３からの走査情報に基づいて、表示部１７０には、「ロック中」であることが表示される（ステップＳ３０３）。この後、原稿読み取り装置１２０にて原稿の画像読み取りが開始される（ステップＳ３０４）。そして、原稿走査部１２３からの走査情報に基づいて、表示部１７０には、「読み取り中」であることが表示される（ステップＳ３０５）。
【００３６】
次に、原稿が読み取られている最中に、カセット操作検知部１４８の操作検知情報に基づいて、給紙カセット１４０の取っ手部１４７にユーザが手を掛けていないか否かが判断される（ステップＳ３０６）。ユーザが取っ手部１４７に手を掛けていないと判断した場合（ステップＳ３０６：Ｙｅｓ）は、原稿の画像読み取りを継続する（ステップＳ３０７）。そして、原稿走査部１２３からの走査情報に基づいて、用紙トレイ１５０の用紙トレイ用給紙部１５２から用紙を送り出す（ステップＳ３０８）。なお、このとき、原稿走査部１２３からの走査情報に基づいて、給紙カセット１４０の給紙カセット用給紙部１４９は停止している。そして、画像形成部１６０では、原稿走査部１２３からの画像情報に基づいて、画像を形成する。この画像を用紙に転写して定着することで、用紙上に画像が形成され（ステップＳ３０９）、一連の処理を終了する。なお、ステップＳ３０８およびステップＳ３０９において、ＦＡＸ２３０に画像データを送信する場合は、用紙トレイ１５０の用紙に画像を形成することなく、画像データのみをＦＡＸ２３０に送信する。
【００３７】
一方、ステップＳ３０６において、カセット操作検知部１４８の操作検知情報に基づいて、ユーザが取っ手部１４７に手を掛けたと判断した場合（ステップＳ３０６：Ｎｏ）は、走査駆動部２１０を停止させ、原稿走査部１２３による原稿の画像読み取りを停止させる（ステップＳ３１０）。そして、カセット操作検知部１４８の操作検知情報に基づいて、スピーカ２２０から警告音を出力する（ステップＳ３１１）。この後、カセット操作検知部１４８の操作検知情報に基づいて、ユーザが取っ手部１４７から手を離したと判断するまで、待機する（ステップＳ３１２：Ｎｏのループ）。ステップＳ３１２にて、ユーザが取っ手部１４７から手を離したと判断すると（ステップＳ３１２：Ｙｅｓ）、原稿走査部１２３によって画像の再読み取りが行われる（ステップＳ３１３）。この後、上述したステップＳ３０８〜ステップＳ３０９の処理を行い、一連の処理を終了する。
【００３８】
なお、このような原稿読み取り処理において、原稿走査部１２３による画像の読み取りが終了した際には、適宜、給紙カセット１４０のロックを解除し、表示部１７０の「ロック中」の表示や「読み取り中」の表示を非表示とする。また、スピーカ２２０からの警告音についても、ユーザが取っ手部１４７から手を離した際には、適宜、停止させる。
【００３９】
本実施の形態におけるロック動作例１によれば、原稿走査部１２３の走査中に、給紙カセット１４０をロックするようにしたので、給紙カセット１４０の引き出し動作に伴って生ずる画像読み取りの乱れを防止できる。
【００４０】
また、給紙カセット１４０をロックしているとき、または原稿走査部１２３を走査しているときには、表示部１７０に「ロック中」または「読み取り中」であることを表示させることにより、ユーザに画像形成装置１００の動作を認識させることができ、給紙カセット１４０を引き出すことを未然に防ぐことができ、これにより、画像読み取りの乱れを防止できる。
【００４１】
また、取っ手部１４７にカセット操作検知部１４８を設けたので、ロック中または原稿読み取り中に、ユーザが給紙カセット１４０を引き出そうとしても、原稿走査部１２３の画像読み取りを停止させることができる。したがって、ユーザが無理に給紙カセット１４０を引き出そうとして、装置筐体１１０に振動が伝わるようなことがあっても、原稿走査部１２３による画像読み取りが停止しているので、画像乱れが発生することはない。
【００４２】
また、原稿走査部１２３による画像読み取りを停止させた場合であっても、ユーザが給紙カセット１４０から手を離した際には、再度初めから画像読み取りを行うようにしたので、画像乱れのない良好な画像を提供することができる。
【００４３】
また、画像読み取りを停止させた場合に、警告音を出力するようにしたので、ユーザに対して、画像読み取り中には給紙カセット１４０を引き出すことができないということを警告することができる。
【００４４】
また、原稿走査部１２３による原稿読み取り中には、用紙トレイ１５０の用紙を使用するようにしたので、給紙カセット１４０内の用紙がなくなり、給紙カセット１４０を引き出して用紙補給を要するという事態を防止できる。
【００４５】
（ロック動作例２）
次に、図４を用いて、原稿読み取りプロセスの開始時に、給紙カセット１４０が収納位置に位置する場合、または引き出し位置に位置する場合の処理について説明する。図４は、本実施の形態にかかる原稿読み取り処理のロック動作例２を示すフローチャートである。
【００４６】
図４において、入力部１７１からの操作入力を待って、原稿読み取りプロセスが開始される（ステップＳ４０１）。入力部１７１からの操作入力があるまでの間は待機し（ステップＳ４０１：Ｎｏのループ）、入力部１７１からの操作入力があると、原稿読み取りプロセスが開始される（ステップＳ４０１：Ｙｅｓ）。次に、カセット位置検知部１４５の位置検知情報に基づいて、給紙カセット１４０が収納位置に位置するか否かが判断される（ステップＳ４０２）。給紙カセット１４０が収納位置に位置すると判断した場合（ステップＳ４０２：Ｙｅｓ）は、給紙カセットロックの処理を行い（ステップＳ４０３）、一連の処理を終了する。なお、給紙カセットロックの処理は、ロック動作例１のステップＳ３０２〜ステップＳ３１３に示した処理である。
【００４７】
一方、カセット位置検知部１４５の位置検知情報に基づいて、給紙カセット１４０が収納位置に位置しないと判断した場合（ステップＳ４０２：Ｎｏ）は、走査駆動部２１０を動作させることなく、スピーカ２２０から警告音を出力する（ステップＳ４０４）。この後、ステップＳ４０２に戻り、カセット位置検知部１４５の位置検知情報に基づいて、給紙カセット１４０が収納位置に位置していると判断するまでは、警告音が出力され続ける（ステップＳ４０２：Ｎｏ、ステップＳ４０４）。そして、給紙カセット１４０が収納位置に位置したと判断した場合（ステップＳ４０２：Ｙｅｓ）は、給紙カセットロックの処理を行い（ステップＳ４０３）、一連の処理を終了する。
【００４８】
本実施の形態におけるロック動作例２によれば、給紙カセット１４０が引き出し位置に位置する場合には、原稿走査部１２３による画像読み取りを行わないようにしたので、給紙カセット１４０の収納動作に伴って生ずる画像読み取りの乱れを防止できる。
【００４９】
また、給紙カセット１４０が収納位置に位置してから画像読み取りを開始するようにしたので、画像乱れのない良好な画像を提供することができる。
【００５０】
また、原稿読み取りプロセスの開始に、給紙カセットが引き出し位置に位置する場合に、警告音を出力するようにしたので、ユーザに対して、給紙カセット１４０が引き出し位置にある場合には画像読み取りが開始されないということを警告することができる。
【００５１】
（ロック動作例３）
次に、図５を用いて、ＡＤＦ１３０の原稿載置部１３１上に原稿が載置されている場合、またはＡＤＦ１３０の原稿載置部１３１上に原稿が載置されていない場合の処理について説明する。図５は、本実施の形態にかかる原稿読み取り処理のロック動作例３を示すフローチャートである。
【００５２】
図５において、入力部１７１からの操作入力を待って、原稿読み取りプロセスが開始される（ステップＳ５０１）。入力部１７１からの操作入力があるまでの間は待機し（ステップＳ５０１：Ｎｏのループ）、入力部１７１からの操作入力があると、原稿読み取りプロセスが開始される（ステップＳ５０１：Ｙｅｓ）。次に、原稿検知部１３４の原稿検知情報に基づいて、原稿載置部１３１上に原稿が載置されているか否かが判断される（ステップＳ５０２）。原稿載置部１３１上に原稿が載置されていないと判断した場合（ステップＳ５０２：Ｎｏ）は、給紙カセットロックの処理を行い（ステップＳ５０３）、一連の処理を終了する。
【００５３】
一方、原稿検知部１３４の原稿検知情報に基づいて、原稿載置部１３１上に原稿が載置されていると判断した場合（ステップＳ５０２：Ｙｅｓ）は、原稿搬送部１３２により自動原稿送りが開始される（ステップＳ５０４）。そして、読み取りガラス１２１上に原稿を搬送する（ステップＳ５０５）。このとき、給紙カセット１４０のロックは解除されている。次に、給紙カセットロックの処理を行った（ステップＳ５０６）後、適宜、給紙カセット１４０のロックを解除し、読み取りガラス１２１上の原稿を原稿排出部１３３に排出して（ステップＳ５０７）、一連の処理を終了する。
【００５４】
本実施の形態におけるロック動作例３によれば、原稿搬送部１３２が原稿を搬送している最中には、原稿走査部１２３が走査していなので、給紙カセット１４０を引き出したとしても、画像が乱れるようなことはない。そのため、原稿搬送部１３２が原稿を搬送している最中には、給紙カセット１４０のロックを解除し、用紙の補充等を行うことができる。
【００５５】
（ロック動作例４）
次に、図６を用いて、ロック動作例１において、ユーザが取っ手部１４７に手を掛けた場合の別の画像処理について説明する。図６は、本実施の形態にかかる原稿読み取り処理のロック動作例４を示すフローチャートである。
【００５６】
図６において、ステップＳ６０１からステップＳ６０９までは、ロック動作例１で説明したステップＳ３０１からステップＳ３０９までと同様の処理である。また、ステップＳ６０６において、給紙カセット１４０がロックされて原稿が読み取られているときに、ユーザが取っ手部１４７に手を掛けたと判断した場合（ステップＳ６０６：Ｎｏ）は、走査駆動部２１０を停止させ、原稿走査部１２３による原稿の画像読み取りを停止させ（ステップＳ６１０）、警告音を出力する（ステップＳ６１１）。ここまでは、ロック動作例１と同様である。
【００５７】
ロック動作例４では、警告音を出力した（ステップＳ６１１）後に、原稿走査部１２３が停止する前までに読み取った画像データを蓄積部２４０に蓄積させる（ステップＳ６１２）。そして、カセット操作検知部１４８の操作検知情報に基づき、ユーザが取っ手部１４７から手を離したと判断するまで待機する（ステップＳ６１３：Ｎｏのループ）。ユーザが取っ手部１４７から手を離したと判断すると（ステップＳ６１３：Ｙｅｓ）、走査駆動部２１０を駆動させ、原稿走査部１２３が停止している位置から原稿の画像読み取りを再開する（ステップＳ６１４）。そして、再開後に読み取った画像データと、停止前までに読み取った蓄積された画像データとを結合させる（ステップＳ６１５）。この後、用紙トレイ１５０の用紙トレイ用給紙部１５２から用紙を送り出す（ステップＳ６０８）。そして、画像形成部１６０では、原稿走査部１２３からの画像情報に基づいて、画像を形成する。この画像を用紙に転写して定着することで、用紙上に画像が形成され（ステップＳ６０９）、一連の処理を終了する。
【００５８】
本実施の形態におけるロック動作例４によれば、原稿走査部１２３が停止した際に、この停止位置から再び画像読み取りを行うようにしたので、停止前までの画像データを蓄積部２４０に蓄積し、この画像データと、画像読み取り再開後の画像データとを結合させるようにしたので、画像読み取り時間の短縮を図ることができる。
【産業上の利用可能性】
【００５９】
以上のように、本発明にかかる画像形成装置は、コピー、ＦＡＸ等の機能を有するデジタル複写機に有用であり、特に、原稿の画像を読み取り印刷出力するコピー機に適している。
【図面の簡単な説明】
【００６０】
【図１】本発明の実施の形態にかかる画像形成装置の全体構成を示した概要図である。
【図２】本実施の形態に用いられる制御部を示すブロック図である。
【図３】本実施の形態にかかる原稿読み取り処理のロック動作例１を示すフローチャートである。
【図４】本実施の形態にかかる原稿読み取り処理のロック動作例２を示すフローチャートである。
【図５】本実施の形態にかかる原稿読み取り処理のロック動作例３を示すフローチャートである。
【図６】本実施の形態にかかる原稿読み取り処理のロック動作例４を示すフローチャートである。
【符号の説明】
【００６１】
１００  画像形成装置
１２０  原稿読み取り装置
１２３  原稿走査部
１３０  ＡＤＦ
１３２  原稿搬送部
１３４  原稿検知部
１４０  給紙カセット
１４５  カセット位置検知部
１４６ａ  嵌合穴
１４６ｂ  ロック部材
１４８  カセット操作検知部
１４９  給紙カセット用給紙部
１５２  用紙トレイ用給紙部
２１０  走査駆動部
２４０  蓄積部
【図１】
2008143649.tif 000003
【図２】
2008143649.tif 000004
【図３】
2008143649.tif 000005
【図４】
2008143649.tif 000006
【図５】
2008143649.tif 000007
【図６】
2008143649.tif 000008